(57)【特許請求の範囲】
【請求項１】
下面に開口が配設されているケースと、該ケースの該開口を通して下方に突出する拭き部材と、該ケースの該開口を通して大気を吸引する吸引手段とを備えた黒板拭きにおいて、
該ケースは矩形天面壁と共に該天面壁の両側縁から垂下する一対の側壁及び該天面壁の両端縁から垂下する一対の端壁を有する直方体形状であり、
該ケース内には該ケースの該両側壁に長手方向に間隔をおいて又は該ケースの該端壁間に幅方向に間隔をおいて装着された一対の支持軸に遊嵌されている振動部材と該振動部材を振動せしめるための振動手段とが配設されており、該拭き部材は該振動部材に装着されている、ことを特徴とする黒板拭き。
【請求項２】
該振動手段は該振動部材に装着された電動モータと該電動モータの出力軸に連結された偏心回転部材とから構成されている、請求項１記載の黒板拭き。
【請求項３】
下面に開口が配設されているケースと、該ケースの該開口を通して下方に突出する拭き部材と、該ケースの該開口を通して大気を吸引する吸引手段とを備えた黒板拭きにおいて、
該ケース内には振動自在に装着された振動部材と該振動部材を振動せしめるための振動手段とが配設されており、該振動手段は該振動部材に装着された電動モータと該電動モータの出力軸に連結された偏心回転部材とから構成されており、該拭き部材は該振動部材に装着されている、ことを特徴とする黒板拭き。
【請求項４】
該ケースは矩形天面壁と共に該天面壁の両側縁から垂下する一対の側壁及び該天面壁の両端縁から垂下する一対の端壁を有する直方体形状である、請求項３記載の黒板拭き。
【請求項５】
該ケースの下面は全面に渡って開口されており、該拭き部材は該ケースの該下面の長手方向に延在する形態であって、該ケースの該下面の幅方向に間隔をおいて複数個配設されている、請求項１又は４記載の黒板拭き。
【請求項６】
該拭き部材の各々は、横断面図において凸状である下面を有する支持骨材と該支持骨材の該下面に貼着された拭き布とから構成されている、請求項１から５までのいずれかに記載の黒板拭き。
【請求項７】
該ケースの該両側壁及び該両端壁の各々の内面には、該ケースの下面を越えて延出する柔軟なブラシが配設されている、請求項１、４及び５のいずれかに記載の黒板拭き。
【請求項８】
該吸引手段は、可撓性ホースを介して該ケースに連通された吸引ハウジングを含み、該吸引ハウジング内にはチョーク粉収集手段と該チョーク粉収集手段を介して該可撓性ホースに連通された吸引器とが配設されている、請求項１から７までのいずれかに記載の黒板拭き。
【請求項９】
該吸引ハウジングは立設された黒板の長手方向に移動自在に装着されている、請求項８記載の黒板拭き。
【発明の詳細な説明】
【技術分野】
【０００１】
本発明は、チョーク（白墨）によって黒板表面に施された表示を消去するための黒板拭きに関する。
【背景技術】
【０００２】
種々の学校の教室には黒板が装備され、授業の際にはチョークによって黒板表面に文字、数字及び図形等の表示が施される。そして、施された表示は黒板の再使用のために黒板拭きによって消去される。一般的な黒板拭きは適宜の拭き布を備え、かかる拭き布によって黒板表面を拭くことによって黒板表面の表示が消去される。拭き布によって黒板表面を拭き黒板表面の表示を消去すると、周知の如く、黒板表面から除去されたチョーク粉が周囲に飛散し、教室内の床等を汚染し、そしてまた教室内の教師及び生徒の衣服及び身体を汚染する。また、飛散したチョーク粉は教師及び生徒の健康にも悪影響を及ぼす虞があることも指摘されている。
【０００３】
下記特許文献１乃至５には、黒板表面から除去されたチョーク粉の飛散を防止するために、黒板拭きのケースに形成されている開口を通して大気を吸引することが開示されている。下記特許文献１及び２の開示においては、拭き布が配設されたケースとは別個に、吸引器を装備した吸引ハウジングを配設し、この吸引ハウジングを可撓性ホースを介してケースに連通している。下記特許文献３乃至５の開示においては、黒板拭きのケース内に吸引器を配設している。
【先行技術文献】
【特許文献】
【０００４】
【特許文献１】特開平６−２３９０９６号公報
【特許文献２】特開平８−２５８９１号公報
【特許文献３】特開平８−２６７９９５号公報
【特許文献４】特開平１１−１２９６９５号公報
【特許文献５】特願２００６−１１０８３２号公報
【発明の概要】
【発明が解決しようとする課題】
【０００５】
上記特許文献１乃至５に開示されている黒板拭きによれば、チョーク粉の飛散を防止乃至抑制することができる。しかしながら、未だ充分に満足し得るものではなく、本発明者等の経験によれば、次の通りの解決すべき問題が残留している。即ち、黒板表面には微細な孔乃至凹部が多数存在し、かかる孔乃至凹部内に侵入したチョーク粉は拭き布で拭くことのみによっては除去することが困難であり、それ故に黒板表面からチョーク粉を充分に除去して黒板表面を清浄にせしめることが困難である。黒板表面の微細な孔乃至凹部からチョーク粉を除去するためには、回転ブラシを黒板表面に作用せしめることが意図され得るが、本発明者等の経験によれば、充分なチョーク離脱効果を奏する回転ブラシを黒板表面に作用せしめると、短期間の内に黒板表面が損傷されてしまうことが判明している。
【０００６】
本発明は上記事実に鑑みてなされたものであり、その主たる技術的課題は、チョーク粉を周囲に飛散せしめることなく、そしてまた黒板表面を損傷せしめることなく、黒板表面からチョーク粉を充分良好に除去して黒板表面を充分清浄にせしめることができる、新規且つ改良された黒板拭きを提供することである。
【課題を解決するための手段】
【０００７】
本発明者等は、鋭意研究及び実験の結果、拭き部材を適宜に振動せしめながら拭き部材によって黒板表面を拭くと、黒板表面の微細な孔乃至凹部からチョーク粉を効果的に離脱せしめることができることを知見し、ケースの開口を通して大気を吸引する吸引手段を配設することに加えて、黒板表面を拭く拭き部材を振動せしめるための構成を付設することによって上記主たる技術的課題を達成することができることを見出した。
【０００８】
即ち、本発明の一局面によれば、上記主たる技術的課題を達成する黒板拭きとして、下面に開口が配設されているケースと、該ケースの該開口を通して下方に突出する拭き部材と、該ケースの該開口を通して大気を吸引する吸引手段とを備えた黒板拭きにおいて、
該ケースは矩形天面壁と共に該天面壁の両側縁から垂下する一対の側壁及び該天面壁の両端縁から垂下する一対の端壁を有する直方体形状であり、その矩形下面が全面に渡って開口されており、該拭き部材は該開口の長手方向に延在する形態であって該開口の幅方向に間隔をおいて複数個配設されており、
該ケース内には該ケースの該両側壁に長手方向に間隔をおいて又は該ケースの該端壁間に幅方向に間隔をおいて装着された一対の支持軸に遊嵌されている振動部材と該振動部材を振動せしめるための振動手段とが配設されており、該拭き部材は該振動部材に装着されている、ことを特徴とする黒板拭きが提供される。
また、本発明の他の局面によれば、上記主たる技術的課題を達成する黒板拭きとして、下面に開口が配設されているケースと、該ケースの該開口を通して下方に突出する拭き部材と、該ケースの該開口を通して大気を吸引する吸引手段とを備えた黒板拭きにおいて、
該ケース内には振動自在に装着された振動部材と該振動部材を振動せしめるための振動手段とが配設されており、該振動手段は該振動部材に装着された電動モータと該電動モータの出力軸に連結された偏心回転部材とから構成されており、該拭き部材は該振動部材に装着されている、ことを特徴とする黒板拭きが提供される。
【０００９】
好ましくは、該ケースの下面は全面に渡って開口されており、該拭き部材は該ケースの該下面の長手方向に延在する形態であって、該ケースの該下面の幅方向に間隔をおいて複数個配設されている。該拭き部材の各々は、横断面図において凸状である下面を有する支持骨材と該支持骨材の該下面に貼着された拭き布とから構成されているのが好適である。該ケースの該両側壁及び該両端壁の各々の内面には、該ケースの下面を越えて延出する柔軟なブラシが配設されているのが好ましい。該吸引手段は、可撓性ホースを介して該ケースに連通された吸引ハウジングを含み、該吸引ハウジング内にはチョーク粉収集手段と該チョーク粉収集手段を介して該可撓性ホースに連通された吸引器とが配設されており、該吸引ハウジングは立設された黒板の長手方向に移動自在に装着されているのが好都合である。
【発明の効果】
【００１０】
本発明の黒板拭きにおいては、吸引手段によってケースの開口を介して大気を吸引することによってチョーク粉の飛散が可及的に防止され、そして更に黒板表面を拭く拭き部材が振動せしめられることによって黒板表面の孔乃至凹部から効果的にチョーク粉を離脱せしめることができ、黒板表面を充分清浄にせしめることができる。
【図面の簡単な説明】
【００１１】
【図１】本発明に従って構成された黒板拭きの本体を上方から見た斜面図。
【図２】図１の本体を下方から見た斜面図。
【図３】図１の本体内の構成要素を示すためにケースの一部を破断した斜面図。
【図４】図１の黒板拭きにおける拭き部材の断面図。
【図５】図１の本体と共に吸引ハウジング及び黒板を示す正面図。
【図６】吸引ハウジングの装着様式を示す部分断面図。
【発明を実施するための形態】
【００１２】
以下、本発明に従って構成された黒板拭きの好適実施形態を図示している添付図面を参照して、更に詳細に説明する。
【００１３】
図１乃至図３を参照して説明すると、図示の黒板拭きは全体を番号２で示す本体を備えている。本体２は直方体形状のケース４を含んでおり、合成樹脂或いは金属薄板から好都合に形成することができるケース４は矩形天面壁６、天面壁６の両側縁から垂下する両側壁８及び１０並びに天面壁６の両端縁から垂下する両端壁１２及び１４を有し、矩形下面は全体に渡って開口されている。
【００１４】
図３に明確に図示する如く、ケース４の両側壁８及び１０間には、長手方向に間隔をおいて一対の支持軸１６が固定されている。そしてかかる支持軸１６に振動部材１８が振動自在に装着されている。図示の実施形態における振動部材１８は、ケース４の下面に形成されている開口に対応した矩形状の主部を有し、この主部の両側縁の各々には長手方向に間隔をおいて上方に突出する一対の突出片２０が形成されている。突出片２０の各々には円形装着孔２２が形成されており、上記支持軸１６を装着孔２２に挿通せしめてケース４の両側壁８及び１０に固定することによって、支持軸１６を介して振動部材１８がケース４に装着されている。突出片２０に形成されている装着孔２２の内径Ｄ１は支持軸１６の外径Ｄ２よりも幾分大きく、従って振動部材１８の突出片２０は支持軸１６に遊嵌されており、かくして振動部材１８はケース４に対して振動自在に装着されている。Ｄ１−Ｄ２は１乃至２ｍｍ程度でよい。
【００１５】
上記振動部材１８には振動手段２３が付設されている。この振動手段２３は振動部材１８の上面中央部には装着された電動モータ２４を含んでいる。電動モータ２４の出力軸２６は上方に延出せしめられており、この出力軸２６には偏心回転部材２８が固定されている。偏心回転部材２８は円形上壁とこの上壁の周縁から下方に垂下する円筒形側壁を有するカップ状部材３０を有し、カップ状部材３０の上壁の中央部が電動モータ２４の出力軸２６の上端部に固定されている。カップ状部材３０の側壁外周面には偏心のための帯状片３２が固定されている。カップ状部材３０は金属薄板或いは合成樹脂から形成することができる。帯状片３２は鉛の如き高比重材料から形成することができる。
【００１６】
図２に明確に図示する如く、上記振動部材１８の下面には幅方向間隔をおいて長手方向に延在する４個の拭き部材３４が配設されている。図２と共に図４を参照することによって明確に理解される如く、拭き部材３４の各々は横断面図において略半円形状であり凸状の下面と平坦な上面と有する支持骨材３６とこの支持骨材３６の下面に貼着された拭き布３８とから構成されている。支持骨材３６は木材或いは合成樹脂から形成することができる。拭き布３８は従来の黒板拭きに使用されている形態の布でよく、例えば長手方向に延在する突条（所謂縦筋）が幅方向に間隔をおいて形成されている形態の布であるのが好都合である。拭き布３８は接着剤或いは両面接着テープの如き適宜の接着手段によって支持骨材３６の下面に貼着されている。支持骨材３６の平坦な上面は同様に接着剤或いは両面接着テープの如き適宜の接着手段によって上記振動部材１８の下面に固定されている。図２を参照することによって明確に理解される如く、振動部材１８の下面に固定された拭き部材３４はケース４の開口された下面を通して下方に突出せしめられている。振動部材１８自体には、拭き部材３４が固定されている領域の間を長手方向に延びる６個の通気開口４０が形成されている。
【００１７】
更に、図２に明確に図示する如く、ケース４の両側壁８及び１０並びに両端壁１２及び１４の内面下部には柔軟なブラシ４２の上端部が固定されている。適宜の合成乃至天然繊維から形成することができるブラシ４２は、両側壁８及び１０並びに両端壁１２及び１４の下端縁を越えて下方に延出せしめられている。
【００１８】
図１乃至図３と共に図５を参照して説明を続けると、ケース４の端壁１４には円形穴４４が形成されており、この穴４４には可撓性ホース４６の片端部が挿入され適宜の様式でそこに固定されている。図示の実施形態においては、上記本体２とは別個に全体を番号４７で示す吸引手段が配設されている。この吸引手段４７は吸引ハウジング４８を含んでおり、上記ホース４６の他端部は図５に図示する吸引ハウジング４８の上面に形成されている円形穴（図示していない）に挿入され適宜の様式でそこに固定されている。従って、ケース４内はホース４６を介して吸引ハウジング４８内に連通せしめられている。吸引ハウジング４８内には、チョーク粉の通過は阻止するが空気の通過は許容する適宜のフィルター材から形成されたチョーク粉収集手段５０、及びこのチョーク粉収集手段５０を介してホース４６に連通せしめられている吸引器５２が配設されている。吸引手段を構成する吸引器５２は適宜の配線（図示していない）を介して商用電源（図示していない）に接続される。上記振動部材１８に装着された上記電動モータ２４も、上記ホース４６内を通って延在する配線（図示していない）を介して商用電源に接続される。一方、図１に図示する如く、ケース４の天面壁６にはスイッチ５４が配設されている。このスイッチ５４がオンされると、電動モータ２４が付勢されて偏心回転部材２８が回転され、これによって振動部材１８及びこれに装着された拭き部材３４が振動される。同時に、吸引器５２が付勢され、ケース４の開口された下面（更に詳しくは拭き部材３４間の間隙）、振動部材１８に形成されている通気開口４０、ホース４６及びチョーク粉収集手段５０を介して雰囲気空気が吸引される。
【００１９】
図５には、支持枠体５４及びこれに支持された黒板５６から構成された、それ自体は周知の黒板組立体も図示されている。図５と共に図６を参照して説明すると、支持枠体５４の水平部材５８の下面には、水平部材５８に沿って水平に延在する案内部材６０が固定されている。案内部材６０は下面の幅方向中央部が開口され、幅方向両側には案内溝が規定されているレールから構成されている。かかる案内部材６０には案内溝内に載置された４個の車輪６２（そのうちの２個を図６に図示している）を備えた滑動体６４が案内部材６０に沿って滑動自在に装着されている。上記吸引ハウジング４８は、一対の懸架手段６６によって滑動体６４に懸架されており、案内部材６０に沿って、従って黒板５６の長手方向（図５に老いて左右方向）に滑動体６４と共に移動自在である。一対の懸架手段６６の各々は、上端が適宜の様式によって滑動体６４に連結され下端が適宜の様式によって吸引ハウジング４８の上面壁に連結された懸架ロープから構成することができる。
【００２０】
上述したとおりの黒板拭きの使用様式について説明すると、チョークによって黒板５６の表面に施された文字、数字及び図形等の表示を消去する際には、スイッチ５４をオンし、電動モータ２４を付勢して振動部材１８及びこれに装着された拭き部材３４を振動せしめると共に、吸引器５２を付勢してケース４の開口した下面、更に詳しくは拭き部材３４間の間隙から雰囲気空気を吸引する。そして、図５に簡略に図示する如く、本体２のケース４を手で把持してケース４の下面から突出せしめられている拭き部材３４を黒板５６の表面に当接せしめ、黒板５６の表面に沿って移動せしめて黒板５６の表面を拭く。本体２の移動に応じて吸引手段４７は案内部材６０に沿って適宜に移動せしめられる。拭き部材３４の拭き布３８によって黒板５６の表面が拭かれることによって黒板５６の表面からチョーク粉が除去される。加えて、振動せしめられている拭き部材３４から黒板５６の表面に振動が伝えられ、これによって黒板５６の表面に存在する微細な孔乃至凹部内に侵入しているチョーク粉が効果的に孔乃至凹部から離脱せしめられ、かくして黒板５６の表面が充分清浄にせしめられる。従って、１日の授業終了後の黒板５６の定常的清掃作業も可及的に回避することができる。黒板５６の表面から拭き取られ或いは振動によって離脱されたチョーク粉は、ケース４の開口された下面から吸引される雰囲気空気に付随せしめられ、振動部材１８に形成されている通気開口４０及びホース４６を通してチョーク粉収集手段５０に収集され、チョーク粉が周囲に飛散することは可及的に防止される。通常の黒板拭きの場合には必要であった、黒板拭き自体の定常的清掃作業も著しく低減される。
【符号の説明】
【００２１】
２：本体
４：ケース
１８：振動部材
２３：振動手段
２４：電動モータ
２８：偏心回転部材
３４：拭き部材
３６：支持骨材
３８：拭き布
４２：ブラシ
４６：ホース
４７：吸引手段
４８：吸引ハウジング
５０：チョーク粉収集手段
５２：吸引器
５６：黒板
【図１】
0005582825.tif 000002
【図２】
0005582825.tif 000003
【図３】
0005582825.tif 000004
【図４】
0005582825.tif 000005
【図５】
0005582825.tif 000006
【図６】
0005582825.tif 000007